(57)【要約】【課題】工場において新たに生産を検討している複数の生産品目から、生産スキルと市場規模金額を考慮して、生産品目の絞り込みの決定支援をすることを可能にする。【解決手段】生産品目を入力するための入力部１と、生産品目の必要スキルと市場規模金額を格納する品目別情報格納部３ａ、保有スキルを格納する保有スキル情報格納部３ｂ、スキルとそのスキルの育成方法を格納する育成情報格納部３ｃからなる記憶部３と、前記記憶部を検索して前記入力部１から入力された生産品目の必要スキルと市場規模金額と工場の保有スキルを取得する情報取得部４と、前記情報取得部４にて取得した情報に基づいて不足スキルと生産品目別優先度を決定する演算部５と、前記演算部で算出された前記生産品目別優先度と不足スキルを出力する出力部６とを備えている。【選択図】  図１
2007034511.tif 000002
【特許請求の範囲】
【請求項１】
工場において新たに生産を検討している複数の生産品目から、その生産品目を生産する上で必要なスキルである必要スキルと工場で保有しているスキルである保有スキルとその生産品目の市場規模金額とを判断基準として、生産品目の絞り込みの決定支援をする生産品目決定支援装置であって、
工場において生産を検討している複数の生産品目を入力するための入力部と、
生産品目、前記必要スキル、及び前記市場規模金額の三種類の情報が格納された品目別情報格納部と、前記保有スキルが格納された保有スキル情報格納部とから構成される記憶部と、
この記憶部を検索して、前記入力部から入力された複数の生産品目各々に対する前記必要スキルと前記市場規模金額及び工場の前記保有スキルとを取得する情報取得部と、
この情報取得部より取得した工場の保有スキルと生産品目各々に対する必要スキルと市場規模金額の情報とに基づいて、前記入力部から入力された複数の生産品目の中から生産品目を絞り込む指標となる品目別優先度を生産品目各々に対して算出する演算部と、
生産品目各々に対する前記品目別優先度を出力する出力部とを備えたことを特徴とする生産品目決定支援装置。
【請求項２】
工場において新たに生産を検討している複数の生産品目から、その生産品目を生産する上で必要なスキルである必要スキルと工場で保有しているスキルである保有スキルとその生産品目の市場規模金額とを判断基準として、生産品目の絞り込みの決定支援をする生産品目決定支援装置であって、
工場において生産を検討している複数の生産品目を入力するための入力部と、
生産品目、前記必要スキル、及び前記市場規模金額の三種類の情報が格納された品目別情報格納部と、前記保有スキルが格納された保有スキル情報格納部とから構成される記憶部と、
この記憶部を検索して、前記入力部から入力された複数の生産品目各々に対する前記必要スキルと前記市場規模金額及び工場の前記保有スキルとを取得する情報取得部と、
この情報取得部より取得した工場の保有スキルと生産品目各々に対する必要スキルの情報とを照合して、各生産品目を生産する上で工場の人員に不足しているスキルである不足スキルを決定し、各生産品目の不足スキルと前記情報取得部より取得した必要スキルと市場規模金額の情報とに基づいて、前記入力部から入力された複数の生産品目の中から生産品目を絞り込む指標となる品目別優先度を生産品目各々に対して算出する演算部と、
生産品目各々に対する前記品目別優先度と前記不足スキルを出力する出力部とを備えたことを特徴とする生産品目決定支援装置。
【請求項３】
前記記憶部は、スキル及びそのスキルの育成方法が格納された育成情報格納部をさらに備え、
前記情報取得部は、前記演算部において決定された各生産品目の不足スキルの情報と、前記演算部において算出された各生産品目の品目別優先度の情報とに基づいて、算出した品目別優先度が最も高い生産品目の不足スキルの育成方法を前記育成情報格納部より取得し、その育成方法を前記出力部へ出力することを特徴とする請求項２記載の生産品目決定支援装置。
【請求項４】
工場において新たに生産を検討している複数の生産品目から、その生産品目を生産する上で必要なスキルである必要スキルと工場で保有しているスキルである保有スキルとその生産品目の市場規模金額とを判断基準として、生産品目の絞り込みの決定支援をする生産品目決定支援プログラムであって、
工場において生産を検討している複数の生産品目が入力されると、入力された生産品目各々に対して前記品目別情報格納部を検索し、各生産品目の前記必要スキルと前記市場規模金額を取得するステップと、
前記保有スキル情報格納部を検索して、前記保有スキルを取得するステップと、
取得した工場の保有スキルと生産品目各々に対する必要スキルと市場規模金額の情報とに基づいて、入力された複数の生産品目の中から生産品目を絞り込む指標となる品目別優先度を生産品目各々に対して算出するステップと、
生産品目各々に対する前記品目別優先度を前記出力部へ出力するステップとからなることを特徴とする生産品目決定支援プログラム。
【請求項５】
工場において新たに生産を検討している複数の生産品目から、その生産品目を生産する上で必要なスキルである必要スキルと工場で保有しているスキルである保有スキルとその生産品目の市場規模金額とを判断基準として、生産品目の絞り込みの決定支援をする生産品目決定支援プログラムであって、
工場において生産を検討している複数の生産品目が入力されると、入力された生産品目各々に対して前記品目別情報格納部を検索し、各生産品目の前記必要スキルと前記市場規模金額を取得するステップと、
前記保有スキル情報格納部を検索して、前記保有スキルを取得するステップと、
取得した工場の前記保有スキルと生産品目各々の前記必要スキルとを照合して、各生産品目を生産する上で工場の人員に不足しているスキルである不足スキルを決定するステップと、
各生産品目の不足スキルと取得した必要スキルと市場規模金額の情報とに基づいて、入力された複数の生産品目の中から生産品目を絞り込む指標となる品目別優先度を生産品目各々に対して算出するステップと、
生産品目各々に対する前記品目別優先度と前記不足スキルとを前記出力部へ出力するステップとからなることを特徴とする生産品目決定支援プログラム。
【請求項６】
工場において新たに生産を検討している複数の生産品目から、その生産品目を生産する上で必要なスキルである必要スキルと工場で保有しているスキルである保有スキルとその生産品目の市場規模金額とを判断基準として、生産品目の絞り込みの決定支援をする生産品目決定支援プログラムであって、
工場において生産を検討している複数の生産品目が入力されると、入力された生産品目各々に対して前記品目別情報格納部を検索し、各生産品目の前記必要スキルと前記市場規模金額を取得するステップと、
前記保有スキル情報格納部を検索して、前記保有スキルを取得するステップと、
取得した工場の前記保有スキルと生産品目各々の前記必要スキルとを照合し、各生産品目を生産する上で工場の人員に不足しているスキルである不足スキルを決定するステップと、
各生産品目の不足スキルと取得した前記必要スキルと該生産品市場規模金額の情報とに基づいて、入力された複数の生産品目の中から生産品目を絞り込む指標となる品目別優先度を生産品目各々に対して算出するステップと、
算出した前記品目別優先度が最も高い生産品目の前記不足スキルの育成方法を前記育成情報格納部より取得するステップと、
生産品目各々に対する前記品目別優先度と前記不足スキル、及び品目別優先度が最も高い生産品目の不足スキルの前記育成方法とを前記出力部へ出力するステップとからなることを特徴とする生産品目決定支援プログラム。
【請求項７】
請求項４〜６のいずれかに記載の生産品目決定支援プログラムを格納した記録媒体。
【発明の詳細な説明】
【技術分野】
【０００１】
本発明は生産現場である工場で、新規に生産を検討している複数の生産品目から、最適な生産品目の絞り込みの決定を支援する生産品目決定支援装置、生産品目決定支援プログラム、及び生産品目決定支援プログラムを格納した記録媒体に関する。特に、生産する上で必要なスキル、工場の作業者の保有しているスキル、及び市場規模金額を考慮して、工場で新規に生産を検討している複数の生産品目から最適な生産品目の絞り込みの決定を支援する生産品目決定支援装置、生産品目決定支援プログラム、及び生産品目決定支援プログラムを格納した記録媒体に関する。
【背景技術】
【０００２】
従来の工場の役割は、主にその工場が属する企業の生産統括部門から指示された同一生産品目の生産に限られていた。このため、工場で生産する新規生産品目の絞り込みを行う事は少なかった。しかしながら、工場の自立化が求められるようになった近年においては、新規生産品目を取り込むとともに、工場の稼動率を向上させて利益を向上させる事が必要不可欠であり、新規生産品目の絞り込みの必要性は増してきている。
【０００３】
利益向上に繋がる新規生産品目を選定する手段としては、その生産品目における市場占有率、売上、利益などを考慮して市場参入するか否かの意思決定を支援する市場参入意思決定支援装置が公開されている（特許文献１）。
【特許文献１】特開２００１−３５７１８９号公報
【発明の開示】
【発明が解決しようとする課題】
【０００４】
しかしながら、工場における新規生産品目の選定には、その生産品目の市場価値とともに、その生産品目を生産する為に必要なスキル及び生産現場である工場の作業者が保有しているスキルといった生産スキルが考慮されている事が望ましい。
【０００５】
例えば、ある生産品目を生産する上で必要となるスキルの大半を生産現場である工場の作業員が保有していない場合、実際にこの生産品目を生産しようとすると、作業者に不足しているスキルを取得させるための時間と費用が必要となり、結果的に稼働率の減少や利益の減少を招きかねない。
【０００６】
このため、新規生産品目の選定においては、市場価値が高く、尚且つ、生産する上で工場の作業者に不足しているスキルが少ない生産品目を選択する必要がある。
【０００７】
また、従来の生産品目の選定に関する発明は、検討している１つの生産品目を生産するか否かの意思決定を支援するにすぎず、検討している複数の生産品目を比較して、その中から最適な生産品目を絞り込んで決定する事への支援はできていなかった。
【０００８】
本発明はかかる問題点を解決すべく提案されたもので、工場において新たに生産を検討している複数の生産品目から、その生産品目を生産する為に必要なスキル及び工場の作業者が保有しているスキルといった生産スキルと市場規模金額を判断基準として、利益向上に繋がる最適な生産品目の絞り込みを行う事ができる生産品目決定支援装置、生産品目決定支援プログラム、及び生産品目決定支援プログラムを格納した記録媒体を提供する事を目的とする。
【課題を解決するための手段】
【０００９】
本発明の生産品目決定支援装置は、工場において生産を検討している複数の生産品目を入力するための入力部と、生産品目、その生産品目を生産する上で必要なスキル（必要スキル）、及び市場規模金額の三種類の情報が格納された品目別情報格納部と工場で保有しているスキル（保有スキル）が格納された保有スキル情報格納部とから構成される記憶部と、この記憶部を検索して、前記入力部から入力された複数の生産品目各々に対する前記必要スキルと前記市場規模金額及び工場の前記保有スキルとを取得する情報取得部と、この情報取得部より取得した工場の保有スキルと生産品目各々に対する必要スキルと市場規模金額の情報とに基づいて、前記入力部から入力された複数の生産品目の中から生産品目を絞り込む指標となる品目別優先度を生産品目各々に対して算出する演算部と、生産品目各々に対する前記品目別優先度を出力する出力部とを備えたことを特徴としている。
【００１０】
すなわち、前記入力部から工場において生産を検討している複数の生産品目が入力されると、前記情報取得部は、前記品目別情報格納部を検索して入力された生産品目の各々の必要スキルと市場規模金額とを取得し、さらに前記保有スキル情報格納部を検索して工場の人員が保有している保有スキルを取得する。
【００１１】
次に、前記演算部は、前記情報取得部において取得された工場の保有スキルと生産品目各々に対する必要スキルと市場規模金額の情報とに基づいて、前記入力部から入力された複数の生産品目の中から生産品目を絞り込む指標となる品目別優先度を算出する。
【００１２】
更に、前記出力部に、前記入力部より入力された複数の生産品目各々に対する前記演算部で算出された品目別優先度を出力する。
【００１３】
前記入力部より入力された複数の生産品目のうち、前記出力部に出力された品目別優先度が最も高い生産品目が工場において選択すべき最適な生産品目である。
【００１４】
また、本発明の生産品目決定支援装置によれば、前記演算部は、各生産品目を生産する上で工場の人員に不足しているスキルである不足スキルを決定する機能をさらに備え、この不足スキルを前記出力部へ出力する構成であってもよい。
【００１５】
すなわち、前記演算部は、前記情報取得部より取得した工場の保有スキルと生産品目各々に対する必要スキルの情報とを照合して、各生産品目を生産する上で工場の人員に不足しているスキルである不足スキルを決定し、各生産品目の不足スキルと前記情報取得部より取得した必要スキルと市場規模金額の情報とに基づいて、前記入力部から入力された複数の生産品目の中から生産品目を絞り込む指標となる品目別優先度を生産品目各々に対して算出し、前記出力部へ生産品目各々に対する前記品目別優先度と前記不足スキルとを出力する構成であってもよい。
【００１６】
また、本発明の生産品目決定支援装置によれば、前記記憶部はスキル及びそのスキルの育成方法が格納された育成情報格納部をさらに備え、前記情報取得部は、前記演算部において決定された各生産品目の不足スキルの情報と、前記演算部において算出された各生産品目の品目別優先度の情報とに基づいて、算出した品目別優先度が最も高い生産品目の不足スキルの育成方法を前記育成情報格納部より取得し、その育成方法を前記出力部へ出力する構成であってもよい。
【００１７】
すなわち、前記情報取得部は、前記演算部で算出された品目別優先度が最も高い生産品目の不足スキルを選択し、この不足スキルを工場の人員に取得させるための育成方法を前記育成情報格納部より取得して、前記出力部へ出力する構成であってもよい。
【発明の効果】
【００１８】
このように、本発明によれば、工場が生産を検討している複数の生産品目候補から、その生産品目を生産する為に必要なスキルや生産現場である工場で保有しているスキルといった生産スキル及びその生産品目の市場規模金額を判断基準として、利益向上に繋がる最適な生産品目の絞り込みを行う事が可能である。
【００１９】
生産スキルを判断基準にする事で、生産する上で工場の作業者に不足しているスキル（不足スキル）の数に基づいて最少の生産品目を絞り込むことができ、生産開始までの期間の短縮及び不足スキルを育成するための費用の減額が可能となる。さらに、市場規模金額を判断基準にする事で、期待できる生産金額が最大となる生産品目を絞り込むことができ、利益を上げる可能性をより高くする事ができる。
【００２０】
また、絞り込んだ最適な生産品目を工場にて生産するために必要なスキルのうち、工場の人員に不足しているスキル（不足スキル）の育成方法を容易に知る事が可能である。
【発明を実施するための最良の形態】
【００２１】
以下、本発明の実施の形態について、図面を参照して説明する。
【００２２】
図１は、本発明の生産品目決定支援装置の機能構成図である。
【００２３】
この生産品目決定支援装置は、入力部１と制御部２と記憶部３と情報取得部４と演算部５と出力部６とから構成される。
【００２４】
前記入力部１に、工場において生産を検討している複数の生産品目が入力される。
【００２５】
前記制御部２は、前記入力部１と前記情報取得部４と前記演算部５と前記出力部６の入出力を制御する。
【００２６】
前記記憶部３は、生産品目とその生産品目を生産する上で必要なスキル（必要スキル）と市場規模金額の三種類の情報が格納された品目別情報格納部３ａ、工場で保有しているスキル（保有スキル）が格納された保有スキル情報格納部３ｂ、スキルや該スキルを育成するための育成方法が格納された育成情報格納部３ｃとから構成される。
【００２７】
前記情報取得部４は、前記品目別情報格納部３ａを検索して、前記入力部１から入力された複数の生産品目各々に対する前記必要スキルと前記市場規模金額の情報を取得し、前記保有スキル情報格納部３ｂを検索して工場の保有スキルを取得する。さらに、前記演算部５にて決定される各生産品目の不足スキルと品目別優先度の情報に基づいて、前記入力部１より入力された生産品目のうち、もっとも品目別優先度が高い生産品目の不足スキルの育成方法を前記育成情報格納部３ｃより取得する。
【００２８】
前記演算部５は、不足スキル決定部５ａと品目別優先度演算部５ｂとから構成されている。前記不足スキル決定部５ａは、前記情報取得部４にて取得した工場の前記保有スキルと生産品目各々に対する前記必要スキルの情報とを照合して前記入力部１より入力された生産品目各々に対する不足スキルを決定し、前記品目別優先度演算部５ｂは、前記不足スキル決定部５ａにより決定された各生産品目の不足スキルと前記情報取得部４より取得した各生産品目の必要スキルと市場規模金額の情報とに基づいて、品目別優先度を算出する。
【００２９】
前記出力部６は、前記入力部１より入力された複数の生産品目各々に対する前記品目別優先度と前記不足スキル、及び品目別優先度が最も高い生産品目の不足スキルの前記育成方法とを出力する。
【００３０】
図３は、品目別情報格納部３ａに格納されている内容の一例を示している。品目別情報格納部３ａの格納内容は、図３に示すように生産品目と該生産品目毎に設定された市場規模金額とスキルからなり、各生産品目と各スキルに対して、該生産品目を生産する上で、該スキルが必要か否かが格納されている。図３の例で示される液晶テレビは、市場規模金額が４０４，５５０百万円で、必要スキルは「ビス締め」と「基板実装」の２つであると解される。
【００３１】
図４は、保有スキル情報格納部３ｂに格納されている内容の一例を示している。保有スキル情報格納部３ｂの格納内容は、図４に示すようにスキル毎に工場の人員が該スキルを保有しているか否かの情報が格納されている。図４の例では、工場の保有スキルは、「ビス締め」であると解される。
【００３２】
次に、上記構成の生産品目決定支援装置を用いて、具体的に工場において生産を検討している複数の生産品目から、工場で選択すべき生産品目を絞り込む処理の実施例について説明する。
【実施例１】
【００３３】
本実施例について、図１に示す機能構成図、図３に示す品目別情報格納部３ａに格納されている格納内容例、図４に示す保有スキル情報格納部３ｂに格納されている格納内容例、図５に示す生産品目の入力画面例、図６に示す生産品目決定支援情報及び不足スキル育成方法の表示例を参照して説明する。
【００３４】
まず、ユーザーは、工場にて生産を検討している生産品目として、液晶テレビ、電子レンジ、冷蔵庫を入力部１より入力する（図５参照）。
【００３５】
次に、制御部２は、入力された生産品目を情報取得部４へ送る。
【００３６】
前記情報取得部４は、品目別情報格納部３ａを検索して、入力された生産品目（液晶テレビ、電子レンジ、冷蔵庫）の各々に対して、生産する上で必要なスキルと市場規模金額を取得し、その取得した情報を制御部２へ送る。本実施例においては、液晶テレビでは、市場規模金額が４０４，５５０百万円で必要スキルが「ビス締め」と「基板実装」である（図３参照）。同様に、電子レンジでは、市場規模金額が４３５，０７１百万円で必要スキルが「ビス締め」と「溶接」と「プレス加工」であり、冷蔵庫では、市場規模金額は８７，０１４百万円で必要スキルが「ビス締め」と「溶接」と「プレス加工」である（図３参照）という情報が取得される。
【００３７】
これら入力された生産品目の各々に対する市場規模金額と必要スキルの情報は制御部２へ送られる。
【００３８】
更に、この情報取得部４は、保有スキル情報格納部３ｂを検索して、工場で保有しているスキルを取得し、その取得した保有スキルの情報を制御部２へ送る。本実施例では、工場の保有スキルとして「ビス締め」が取得され、この情報が制御部２へ送られる。
【００３９】
制御部２は、前記情報取得部４より受け取った情報を演算部５へ送る。
【００４０】
不足スキル決定部５ａは、前記制御部２より受け取った情報に基づき、入力された生産品目各々について、各生産品目の必要スキルと工場の保有スキルとを比較し、その生産品目の必要スキルのうち、工場の保有スキルでないスキルを不足スキルとして決定する。本実施例においては、液晶テレビの必要スキルが「ビス締め」と「基板実装」であるのに対し、工場の保有スキルが、「ビス締め」のみである事から、液晶テレビの不足スキルは、「基板実装」となる。同様に、電子レンジの不足スキルは、「溶接」と「プレス加工」、冷蔵庫の不足スキルは、「溶接」と「プレス加工」となる。
【００４１】
入力された各生産品目に対して決定された不足スキルは品目別優先度演算部５ｂへ送られる。
【００４２】
次に、品目別優先度演算部５ｂは、制御部２より受け取った情報と前記不足スキル決定部５ａにて取得された不足スキルに基づいて、品目別優先度を算出する。品目別優先度は、まず、スキルに関する優先度を示す不足スキルスコアと市場規模金額に関する優先度を示す品目別スコアを算出して、その不足スキルスコアと品目別スコアの値を用いて算出される品目決定スコアにて示される。この本実施例における、品目別優先度の算出方法を以下に示す。
【００４３】
まず、以下（１）式により、不足スキルスコアを算出する。
［数１］
（不足スキルスコア）＝（必要スキル数−不足スキル数）÷（必要スキル数）× １００・・（１）
必要スキル数とは、情報取得部４にて取得された各生産品目の必要スキルの合計数である。従って、必要スキル数は、液晶テレビでは、「ビス締め」、「基板実装」の２つであり、同様に電子レンジでは３つ、冷蔵庫では３つとなる。
【００４４】
前記不足スキル数とは、不足スキル決定部５ａで決定された各生産品目の不足スキルの合計数である。本実施例では、不足スキル数は液晶テレビでは、「基板実装」の１つであり、同様に、電子レンジでは２つ、冷蔵庫では２つとなる。
【００４５】
従って、不足スキルスコアは液晶テレビでは５０．０ポイント、電子レンジでは３３．３ポイント、冷蔵庫では３３．３ポイントとなる。
【００４６】
次に以下（２）式により、品目別スコアを算出する。
［数２］
（品目別スコア）＝  （対象生産品目の市場規模金額）÷（生産品目別の市場規模金額最大値）×１００・・（２）
生産品目別の市場規模金額最大値とは、入力部１より入力された複数の生産品目のうち、情報取得部４にて取得された市場規模金額が最も高い生産品目の市場規模金額である。
【００４７】
よって、本実施例における生産品目別の市場規模金額の最大値は、電子レンジの４３５，０７１百万である。（２）式に従い、液晶テレビの品目別スコアを計算すると、９３．０ポイントとなり、同様に、電子レンジは１００．０ポイント、冷蔵庫は２０．０ポイントとなる。
【００４８】
以上により算出された不足スキルスコアと品目別スコアの値を用いて、以下（３）式により、品目決定スコアを算出する。この品目決定スコアが品目別優先度を表す。
［数３］
（品目決定スコア）＝  Ｓ×（品目別スコア）＋（１−Ｓ）×（不足スキルスコア）・・（３）（０≦Ｓ≦１）
（３）式の重み付けＳは、０から１の範囲で変化させる事で、工場固有の思想を盛り込む事が可能となる。例えば、Ｓを０に近づければ、生産スキルの重みを高めて生産品目を絞り込む事が可能となり、逆にＳを１に近づければ市場規模金額の重みを高めて生産品目を絞り込む事が可能となる。
【００４９】
本実施例では、Ｓ＝０．５として品目別決定スコアを算出し、液晶テレビは７１．５ポイント、電子レンジは６６．７ポイント、冷蔵庫は２６．７ポイントとなる。この品目決定スコアが高いほど、品目別優先度が高く、最も品目別優先度が高い生産品目が、工場において生産すべき最適な生産品目であると解する事ができる（図６参照）。
【００５０】
本実施例では、液晶テレビ、電子レンジ、冷蔵庫の順で品目別優先度が高い。
【００５１】
この品目別優先度演算部５ｂは、各生産品目に対して不足スキルと算出された品目決定スコアを制御部２へ送る。
【００５２】
さらに、制御部２は、演算部５より受け取った各生産品目に対する不足スキルのうち、演算部５より受け取った品目別優先度が最も高い生産品目の不足スキルを情報取得部４へ送る。本実施例では、液晶テレビの品目決定スコアが最も高く、この液晶テレビの不足スキルは「基板実装」である。
【００５３】
情報取得部４は、制御部２より受け取った不足スキルの育成方法を育成情報格納部３ｃより取得して制御部２へ送る。
【００５４】
制御部２は、演算部５より受け取った各生産品目に対する不足スキルと品目別優先度を表す品目決定スコアを出力部６へ送り、出力部６は、該品目決定スコアが高い順、つまり品目別優先度が高い生産品目順に、各生産品目に対する品目決定スコアと不足スキルを表示する（図６参照）。
【００５５】
さらに、制御部２は、情報取得部４より受け取った不足スキルの育成方法を出力部６へ送り、出力部６にその不足スキルの育成方法が表示される（図６参照）。
【００５６】
以上の処理動作は、図２に示すフローチャートに従って処理される。
【００５７】
次に、図２に示すフローチャートに従って上記処理動作を再度説明する。
【００５８】
ステップＳ１では、ユーザーが入力部１から生産を検討している生産品目として、液晶テレビ、電子レンジ、冷蔵庫を入力する。
【００５９】
ステップＳ２では、情報取得部４が品目別情報格納部３ａを検索して、入力された生産品目（液晶テレビ、電子レンジ、冷蔵庫）の各々に対する必要スキルと市場規模金額の情報を取得してその情報を制御部２へ送り、ステップＳ３へ進む。
【００６０】
本実施例では、液晶テレビの市場規模金額４０４，５５０百万円と液晶テレビの必要スキル「ビス締め」と「基板実装」と、電子レンジの市場規模金額４３５，０７１百万円と電子レンジの必要スキル「ビス締め」と「溶接」と「プレス加工」と、冷蔵庫の市場規模金額８７，０１４百万円と冷蔵庫の必要スキル「ビス締め」と「溶接」と「プレス加工」が取得される（図３参照）。
【００６１】
ステップＳ３では、情報取得部４が工場の保有スキルを取得し、制御部２がその保有スキルを受け取る。本実施例では、「ビス締め」を取得し、制御部２が工場の保有スキルは「ビス締め」であるという情報を受け取る。
【００６２】
ステップＳ４では、不足スキル決定部５ａが制御部２より受け取った生産品目（液晶テレビ、電子レンジ、冷蔵庫）各々について、その生産品目の必要スキルと、工場の人員が保有しているスキルとを比較して、工場の人員に不足しているスキル（不足スキル）を決定する。
【００６３】
本実施例においては、液晶テレビの必要スキルが「ビス締め」と「基板実装」であるのに対し、工場の保有スキルは「ビス締め」である事から、液晶テレビの不足スキルは、「基板実装」となる。同様に、電子レンジの不足スキルは「溶接」と「プレス加工」、冷蔵庫の不足スキルは「溶接」と「プレス加工」となる。
【００６４】
ステップＳ５では、品目別優先度演算部５ｂが品目別優先度を算出する。品目別優先度は、まず、スキルに関する優先度を示す不足スキルスコアと市場規模金額に関する優先度を示す品目別スコアを算出して、その不足スキルスコアと品目別スコアの値を用いて算出される品目決定スコアにて示される。
【００６５】
この本実施例における、品目別優先度の算出方法を以下に示す。
【００６６】
不足スキルスコアを前記（１）式により算出する。
【００６７】
必要スキル数は前述のとおりであり、本実施例における必要スキル数は、液晶テレビでは２つ、電子レンジでは３つ、冷蔵庫では３つである。不足スキル数は前述の通りであり、本実施例における不足スキル数は、液晶テレビでは１つ、電子レンジでは２つ、冷蔵庫では２つである。
【００６８】
従って、液晶テレビの不足スキルスコア５０．０ポイント、電子レンジの不足スキルスコア３３．３ポイント、冷蔵庫の不足スキルスコア３３．３ポイントが算出される。
【００６９】
次に前記（２）式により、品目別スコアを算出する。
【００７０】
生産品目別の市場規模金額最大値とはステップＳ１において入力された複数の生産品目のうち、ステップＳ２で取得された市場規模金額が最も高い生産品目の市場規模金額である。
【００７１】
本実施例における市場規模金額の最大値は、電子レンジの４３５，０７１百万である。液晶テレビの市場規模金額は、４０４，５５０百万であるので、前記（２）式に従い、液晶テレビの品目別スコア９３．０ポイントを算出する。同様に、電子レンジでは１００．０ポイント、冷蔵庫では２０．０ポイントの品目別スコアを算出する。
【００７２】
以上により算出された不足スキルスコアと品目別スコアの値を用いて、前記（３）式により、品目決定スコアを算出し、この品目決定スコアを品目別優先度とする。
【００７３】
前記（３）式の重み付けＳは前述の通りである。本実施例では、Ｓ＝０．５として、品目別決定スコアを算出すると、液晶テレビは７１．５ポイント、電子レンジは６６．７ポイント、冷蔵庫は２６．７ポイントとなる。
【００７４】
この品目決定スコアが高いほど、品目別優先度が高く、入力された生産品目のうち、工場において生産すべき生産品目であると解する事ができる（図６参照）。
【００７５】
本実施例では、液晶テレビ、電子レンジ、冷蔵庫の順で品目別優先度が高くなる。
【００７６】
ステップＳ６では、制御部２が入力部１より入力された生産品目のうち演算部５で算出された品目別優先度が最も高い生産品目の不足スキルを情報取得部４へ送り、情報取得部４がその不足スキルの育成方法を育成情報格納部３ｃより取得して、制御部２に送る。
【００７７】
ステップＳ７では、出力部６が入力部１より入力された生産品目とその生産品目の品目別優先度とその生産品目の不足スキルを制御部２より受け取り、入力された生産品目に対してその生産品目の品目別優先度と不足スキルを、その品目別優先度が高い生産品目順に並べて表示する。さらに、出力部６は、制御部２よりその品目別優先度が最も高い生産品目の不足スキルの育成方法を受け取り、表示する（図６参照）。
【００７８】
以上に説明した生産品目決定支援装置により、ユーザーは、図６に示されるような出力部６に表示された生産品目に対する生産品目決定スコアと不足スキルの情報からなる生産品目決定支援情報を参照し、品目決定スコアが最も高い生産品目、つまり、品目別優先度が最も高い生産品目を工場において生産すべき最適な生産品目として、入力部１より入力した複数の生産品目の中から絞り込んで決定する事ができる。さらに、その選択した生産品目の不足スキルの育成方法を知る事ができる。
【００７９】
本実施例においては、入力部１より入力した液晶テレビ、電子レンジ、冷蔵庫の３つの生産品目から、生産品目決定スコアが最も高い液晶テレビを工場において生産するべき最適な生産品目として絞り込む事ができる。さらに、その液晶テレビを生産する上で工場に不足している「基板実装」のスキルの育成方法を知る事ができる。
【００８０】
なお、上記実施例では、生産品目が複数の場合について記載しているが、生産品目が１つの場合であっても、不足スキルの把握、及び不足スキルの育成情報提供が可能である。
【００８１】
以上説明した生産品目決定支援装置は、入力された複数の生産品目の必要スキルと市場規模金額及び工場の保有スキルから、その生産品目の不足スキルと品目別優先度を設定し、各生産品目の品目別優先度と不足スキル及び不足スキルの育成方法の表示を機能させるためのプログラムで実現されている。
【００８２】
発明の対象とするのは、このプログラムそのものであってもよいし、このプログラムがコンピュータで読み取り可能な記録媒体に格納されているものであってもよい。
【００８３】
本発明では、この記録媒体として、例えばＲＯＭのようなものそのものがプログラムメディアであってもよいし、また、図示していない外部記憶装置としてプログラム読み取り装置が設けられ、そこに記録媒体を挿入する事で読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータの図示しないプログラム記憶エリアにロードされて、そのプログラムが実行される方式であってもよい。このロード用のプログラムは予め本体装置に格納されているものとする。
【００８４】
ここで、上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００８５】
また、本発明においては、インターネットを含む通信ネットワークと接続可能なシステム構成である事から、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。なお、記録媒体に格納されている内容としてはプログラムに限定されず、データであってもよい。
【産業上の利用可能性】
【００８６】
生産品目決定支援装置、生産品目決定支援方法、生産品目決定支援プログラム、及び生産品目決定支援装置を格納した記録媒体によれば、生産を検討している複数の生産品目から、品目の絞り込みが可能となる。
【図面の簡単な説明】
【００８７】
【図１】本発明に係る生産品目決定支援装置の一実施形態を示す機能構成図。
【図２】本発明に係る生産品目決定支援装置の一実施形態の動作を示すフローチャート。
【図３】品目別情報格納部の格納内容の一例を示す説明図。
【図４】保有スキル情報格納部の格納内容の一例を示す説明図。
【図５】生産品目の入力画面の一例を示す図。
【図６】生産品目決定支援情報及び不足スキル育成方法の表示例を示す図。
【符号の説明】
【００８８】
１    入力部
２    制御部
３    記憶部
３ａ  品目別情報格納部
３ｂ  保有スキル情報格納部
３ｃ  育成情報格納部
４    情報取得部
５    演算部
５ａ  不足スキル決定部
５ｂ  品目別優先度演算部
６    出力部
【図１】
2007034511.tif 000003
【図２】
2007034511.tif 000004
【図３】
2007034511.tif 000005
【図４】
2007034511.tif 000006
【図５】
2007034511.tif 000007
【図６】
2007034511.tif 000008